(57)【要約】【課題】本発明は、眼鏡枠体を位置調整して装着することが可能なヘッドホンを提供することを目的とするものである。【解決手段】ヘッドホン１は、頭部を囲むように湾曲形成された支持枠体２の両端部２０が前方にほぼ直線状に延設されており、延設された両端部２０の下方には骨伝導ユニット３が取り付けられている。両端部２０の前端側には保持部材４が前後方向に摺動可能に取り付けられており、保持部材４の前端部には受け磁石４０が埋設されている。眼鏡枠体５の両端部の取付部５０には、湾曲状に突出形成された挿着磁石が設けられており、受け磁石４０の平面状の磁着面に対して挿着磁石が揺動可能となるように磁着して眼鏡枠体５と保持部材４が連結されている。【選択図】図１
2008283408.tif 000002
【特許請求の範囲】
【請求項１】
頭部に装着される支持枠体と、支持枠体に取り付けられた一対のヘッドホンユニットと、各ヘッドホンユニットの上方において支持枠体に一端部が取り付けられるとともに他端部に第一磁着部材が設けられた一対の保持部材と、両端部に一対の第二磁着部材が設けられるとともに当該第二磁着部材を各保持部材の第一磁着部材にそれぞれ磁着させて着脱可能に取り付けられた眼鏡枠体とを備え、第一磁着部材及び第二磁着部材は、少なくとも一方の磁着面が突出するように湾曲形成されて前記眼鏡枠体を前記保持部材に対して揺動可能に連結する連結構造を備えていることを特徴とするヘッドホン。
【請求項２】
前記第一及び第二磁着部材は、いずれか一方が磁石からなり、他方が磁石又は磁性体からなることを特徴とする請求項１に記載のヘッドホン。
【請求項３】
前記第一及び第二磁着部材のいずれか一方の磁着面の周囲には当該磁着面を取り囲むカイド部が形成されていることを特徴とする請求項１又は２に記載のヘッドホン。
【請求項４】
前記保持部材は、前記第一磁着部材を前記眼鏡枠体に向かって移動可能となるように前記支持枠体に摺動可能に取り付けられていることを特徴とする請求項１から３のいずれかに記載のヘッドホン。
【請求項５】
前記眼鏡枠体は、両端部に長さ調整部材を介して前記第二磁着部材が設けられていることを特徴とする請求項１から４のいずれかに記載のヘッドホン。
【請求項６】
前記ヘッドホンユニットは、骨伝導ユニットであることを特徴とする請求項１から５のいずれかに記載のヘッドホン。
【発明の詳細な説明】
【技術分野】
【０００１】
本発明は、頭部に装着して音楽、会話等の音声を聴くためのヘッドホンに関する。
【背景技術】
【０００２】
サングラス等の眼鏡を装着しながらヘッドホンを装着する場合、眼鏡を耳に掛けた状態でヘッドホンユニットを耳に当てるようになるため、装着感が悪く外観上もスタイリッシュなものとはいえない。そこで、ヘッドホンに眼鏡を組み合せた場合の様々な改良工夫が提案されている。
【０００３】
例えば、特許文献１では、スピーカユニットを内蔵した左右のハウジングに取り付けたパッドに、眼鏡及びイアリングを装着する位置を切り欠いた切欠部を形成した点が記載されており、ヘッドホン装着時に眼鏡の掛け外しができるようにしている。また、特許文献２では、ヘッドホンのヘアーバンド部分の両下端部に両目をそれぞれ覆うメガネ部分を回転自在に連結した点が記載されている。また、特許文献３では、眼鏡フレームにヘッドホンを角度調整機構を介して取り付けた点が記載されている。また、特許文献４では、ヘッドバンドを頭頂部から額部にかけて往復して回動可能に設け、ヘッドバンドにメガネ部を取り付けた点が記載されている。
【特許文献１】特開２００２−１０１４８３号公報
【特許文献２】特開２００３−７８９８２号公報
【特許文献３】特開２００４−１０４７３７号公報
【特許文献４】特開２００６−１８６７５６号公報
【発明の開示】
【発明が解決しようとする課題】
【０００４】
上述した先行文献では、ヘッドホンのヘッドバンドにメガネ部を取り付けたり、眼鏡フレームにヘッドホンのスピーカ部を取り付けたりすることで、眼鏡を装着した状態ヘッドホンを装着した場合の装着感の悪さを回避しようとしているが、ヘッドバンドにメガネ部を取り付ける場合には取り付けられるメガネ部はサングラス等の限られたものとなってしまう。
【０００５】
例えば、度付きの眼鏡を装着したい場合には、眼鏡レンズと目との間の位置関係を正確に設定する必要があるが、上述した先行文献に記載のメガネ部では、上下方向に回動できるのみでメガネ部と目との間の前後方向の位置関係を調整することができない。また、メガネ部が上下動しやすいため、度付きの眼鏡に使用するには適さない。
【０００６】
眼鏡フレームにスピーカ部を装着する場合には、度付きの眼鏡にも対応することができるが、スピーカ部の重量が眼鏡フレームに加わるようになり、眼鏡フレームを支持する鼻部や耳部が圧迫されて装着感が悪化することは避けられない。
【０００７】
そこで、本発明は、眼鏡枠体を位置調整して装着することが可能なヘッドホンを提供することを目的とするものである。
【課題を解決するための手段】
【０００８】
本発明に係るヘッドホンは、頭部に装着される支持枠体と、支持枠体に取り付けられた一対のヘッドホンユニットと、各ヘッドホンユニットの上方において支持枠体に一端部が取り付けられるとともに他端部に第一磁着部材が設けられた一対の保持部材と、両端部に一対の第二磁着部材が設けられるとともに当該第二磁着部材を各保持部材の第一磁着部材にそれぞれ磁着させて着脱可能に取り付けられた眼鏡枠体とを備え、第一磁着部材及び第二磁着部材は、少なくとも一方の磁着面が突出するように湾曲形成されて前記眼鏡枠体を前記保持部材に対して揺動可能に連結する連結構造を備えていることを特徴とする。さらに、前記第一及び第二磁着部材は、いずれか一方が磁石からなり、他方が磁石又は磁性体からなることを特徴とする。さらに、前記第一及び第二磁着部材のいずれか一方の磁着面の周囲には当該磁着面を取り囲むカイド部が形成されていることを特徴とする。さらに、前記保持部材は、前記第一磁着部材を前記眼鏡枠体に向かって移動可能となるように前記支持枠体に摺動可能に取り付けられていることを特徴とする。さらに、前記眼鏡枠体は、両端部に長さ調整部材を介して前記第二磁着部材が設けられていることを特徴とする。さらに、前記ヘッドホンユニットは、骨伝導ユニットであることを特徴とする。
【発明の効果】
【０００９】
本発明は、上記の構成を備えることで、支持枠体に一端部が取り付けられるとともに他端部に第一磁着部材が設けられた一対の保持部材と、両端部に一対の第二磁着部材が設けられるとともに当該第二磁着部材を各保持部材の第一磁着部材にそれぞれ磁着させて着脱可能に取り付けられた眼鏡枠体とを備え、第一磁着部材及び第二磁着部材は、少なくとも一方の磁着面が突出するように湾曲形成されて眼鏡枠体を保持部材に対して揺動可能に連結する連結構造を備えているので、連結構造を介して保持部材に対し眼鏡枠体を上下及び左右方向に容易に位置調整して装着することが可能となる。
【００１０】
すなわち、耳及び目の位置関係は個人差があり、眼鏡フレームの場合には実際に装着してテンプルに取り付けられたモダンを調整して使用者の耳及び目の位置関係に合わせるようにしているが、ヘッドホンに眼鏡を取り付ける場合こうした調整作業を行うことは困難で、また調整したとしてもヘッドホンの装着状態が一定していないと眼鏡がずれた状態になりやすい。しかしながら、本願発明のように、第一磁着部材及び第二磁着部材により磁力により保持部材及び眼鏡枠体を安定して連結するとともに少なくとも一方の磁着面を突出するように湾曲形成することで磁着部分がユニバーサルジョイントのように揺動可能に連結されるようになって、眼鏡枠体を保持部材に対して上下及び左右方向の位置調整が容易に行えるようになる。
【００１１】
上下方向に位置調整する場合には、ヘッドホンユニットを所定位置に装着した状態で支持枠体を上下方向に位置調整すると、支持枠体に取り付けられた保持部材が顔面側に向かって上下方向に位置調整されるため、保持部材と眼鏡枠体との連結部分も上下方向に位置調整される。第一磁着部材及び第二磁着部材は揺動可能に連結されているため、保持部材が傾斜した状態となっても眼鏡枠体を所定の装着位置に容易にセットすることができる。したがって、眼鏡枠体を保持部材に連結した状態で保持部材を上下方向に位置調整すれば、眼鏡枠体を使用者の耳及び目の位置関係に合せて簡単にセットすることが可能となる。  また、ヘッドホンユニットを所定位置にセットした際に保持部材が左右方向に開いた状態となった場合でも眼鏡枠体との連結部分が揺動可能に連結されているため眼鏡枠体を所定の装着位置に安定してセットすることができる。
【００１２】
また、眼鏡枠体が着脱可能に取り付けられるため、別の眼鏡枠体に交換することも可能となり、別の眼鏡枠体に交換した場合にもそれに合せて容易に位置調整することができる。
【００１３】
また、第一及び第二磁着部材のいずれか一方の磁着面の周囲に当該磁着面を取り囲むカイド部を形成しておくことで、眼鏡枠体の揺動範囲を規制して眼鏡枠体が不用意に揺動することを抑制することができ、さらに、揺動する際に、第一及び第二磁着部材が互いにずれて連結が外れるのを防止する。
【００１４】
また、保持部材を、第一磁着部材が眼鏡枠体に向かって移動可能となるように支持枠体に摺動可能に取り付けたり、眼鏡枠体の両端部に長さ調整部材を介して第二磁着部材を設けるようにすることで、支持枠体と眼鏡枠体との間の間隔を調整することが可能となり、使用者の頭部のサイズに合せて保持部材を摺動させたり、眼鏡枠体の長さ調整部材を調整することで眼鏡枠体を最適の装着状態にセットすることができる。
【発明を実施するための最良の形態】
【００１５】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。なお、以下の説明では、上下、左右及び前後方向は、ヘッドホンを使用者の頭部に装着した状態における使用者からみた方向を示すものとする。
【００１６】
図１は、本発明に係る実施形態に関する外観斜視図である。ヘッドホン１は、頭部を囲むように湾曲形成された支持枠体２の両端部２０ａ及び２０ｂが前方にほぼ直線状に延設されており、延設された両端部２０ａ及び２０ｂの下面には、それぞれアーム部材２１ａ及び２１ｂが下方に垂設されている。アーム部材２１ａ及び２１ｂの下端部には、それぞれ骨伝導ユニット３ａ及び３ｂが取り付けられている。支持枠体２は、頭部の頂部や後頭部を囲むように装着することができ、必要に応じて無線受信器等を取り付けるようにしてもよい。
【００１７】
骨伝導ユニット３ａ及び３ｂは、アーム部材２１ａ及び２１ｂに回動可能に取り付けられており、ヘッドホン１を図１に示すように頭部に装着した場合に、耳の前側に骨伝導ユニット３ａ及び３ｂが圧接するように位置調整する。そして、図示せぬ音声信号発生装置から骨伝導ユニット３ａ及び３ｂに信号が入力されると、入力信号に応じて骨伝導ユニットの振動板が振動して骨に伝導されることで、音声を聴くことができる。こうした骨伝導ユニットは、補聴器として会話を聞いたり、音楽を聴いたりする公知のものを用いればよい。
【００１８】
両端部２０ａ及び２０ｂの前端には、骨伝導ユニット３ａ及び３ｂの上方に保持部材４ａ及び４ｂが前後方向に摺動可能に取り付けられており、保持部材４ａ及び４ｂの前端部には第一磁着部材である受け磁石４０ａ及び４０ｂがそれぞれ埋設されている。そして、保持部材４ａ及び４ｂの前端部には、眼鏡枠体５の両端部に形成された取付部５０ａ及び５０ｂが着脱可能に取り付けられている。
【００１９】
ヘッドホン１は、両端部２０ａ及び２０ｂを耳に掛けて骨伝導ユニット３ａ及び３ｂが圧着されて頭部に装着されるため、骨伝導ユニット３ａ及び３ｂが所定位置に安定した状態で位置決め装着され、安定した状態で装着される骨伝導ユニット３ａ及び３ｂの上方で眼鏡枠体５が支持されるようになって、眼鏡枠体５を安定して装着することができる。
【００２０】
図２は、支持枠体２の一方の端部２０ｂに取り付けられる保持部材４ｂの分解斜視図であり、図３は、眼鏡枠体と保持部材との間の連結構造及び保持部材と支持枠体との間の長さ調整構造に関する拡大断面図であり、取り付けられた保持部材４ｂを軸方向に沿って切断して上から見た断面図である。
【００２１】
保持部材４ｂは、端部２０ｂ側の後端部に挿入孔４１ｂが軸方向に穿設されており、支持枠体２の端部２０ｂの前端に突出形成された支持バー２２ｂが挿入孔４１ｂに挿着されて保持部材４ｂは支持枠体２に取り付けられている。
【００２２】
保持部材４ｂの内側面には位置決め穴部４２ｂが挿入孔４１ｂに沿って穿設されている。位置決め穴部４２ｂは、外表面から挿入孔４１ｂまで貫通して長孔状に形成されており、所定位置に幅の拡がった複数の位置決め部が形成されている。支持バー２２ｂの側面には位置決め突起２３ｂが突設されており、位置決め突起２３ｂが位置決め穴部４２ｂに挿入されて所定位置の位置決め部に嵌合することで保持部材４ｂの前後方向の位置調整を行うことができる。
【００２３】
保持部材４ｂの前端には、取付孔４３ｂが穿設されて受け磁石４０ｂが埋設されている。受け磁石４０ｂは円柱状に形成されており、埋設された状態では取付孔４３ｂから円形で平面状の磁着面が露出するようになる。そして、受け磁石４０ｂの磁着面の外周には磁着面から前方に向かって所定幅のガイド部４４ｂが突設されており、ガイド部４４ｂは磁着面を取り囲むようにリング状に形成されて内周面が外方に向かって拡がるようにテーパ状に形成されている。
【００２４】
眼鏡枠体５の取付部５０ｂには取付孔５２ｂが穿設されてり、取付孔５２ｂには第二磁着部材である挿着磁石５１ｂが受け磁石４０ｂに対向する位置に埋設されている。挿着磁石５１ｂは、取付孔５２ｂから保持部材４ｂ側に突出しており、突出した露出部分が球面状又はドーム状に湾曲形成されている。そして、挿着磁石５１ｂの露出部分が磁着面となって受け磁石４０ｂの磁着面と磁着することで眼鏡枠体５及び保持部材４ｂが連結されるようになる。
【００２５】
この例では、第一及び第二磁着部材を両方とも磁石を用いているが、いずれか一方に磁石を用いて他方を鉄等の磁性体材料を用いるようにしてもよく、磁気による吸引力で互いにしっかりと連結する材料であれば使用することができる。
【００２６】
図４は、受け磁石４０ｂ及び挿着磁石５１ｂが磁着して連結された状態の動作説明図である。受け磁石４０ｂ及び挿着磁石５１ｂが磁着した状態では、受け磁石４０ｂの磁着面が平面で挿着磁石５１ｂの磁着面が凸状に湾曲しているため、挿着磁石５１ｂの磁着面の先端部分のみが受け磁石４０ｂの磁着面に接して磁着した状態となる（図４（ａ））。したがって、２つの磁石は互いに揺動可能に連結した状態となり、図４（ｂ）及び（ｃ）に示すように、ガイド部４４ｂで規制する範囲内で眼鏡枠体５の取付部５０ｂに対して保持部材４ｂが揺動するようになる。そして、その揺動範囲は、互いの磁着面が接した位置を中心に３６０度にわたって揺動させることができ、上下方向や左右方向に自在に揺動可能な連結構造とすることが可能となる。その際に、受け磁石４０ｂの外周にガイド部４４ｂを設けることで、揺動する際に受け磁石４０ｂ及び挿着磁石５１ｂが互いにずれて連結が外れてしまうのを防止することができる。
【００２７】
以上の説明では、保持部材４ｂ及び眼鏡枠体５の取付部５０ｂの連結構造について説明したが、保持部材４ａ及び眼鏡枠体５の取付部５０ａについても同様であるので、説明を省略する。
【００２８】
このような連結構造を備えることで、ヘッドホン１の支持枠体２が頭部に斜めに装着されている場合でも保持部材４ａが眼鏡枠体５に対して揺動するため眼鏡枠体５を最適位置にセットした状態にすることができる。例えば、図５に示すように、支持枠体２の端部２０ａがほぼ水平方向に設定されている場合には保持部材４ａも同様にほぼ水平方向に設定されて眼鏡枠体５の取付部５０ａも水平方向にセットされる（図５（ａ））。そして、図５（ｂ）に示すように、支持枠体２を前方側が上方に移動して保持部材４ａが傾斜した状態になると保持部材４ａの前端側が上方に移動するが、挿着磁石５１ａに対して受け磁石４０ａが揺動して眼鏡枠体５の取付部５０ａを水平方向に保持することができる。また、図５（ｃ）に示すように、支持枠体２を後方側が上方に移動して保持部材４ａが傾斜した状態になると保持部材４ａの前端側が下方に移動するが、挿着磁石５１ａに対して受け磁石４０ａが揺動して眼鏡枠体５の取付部５０ａを水平方向に保持することができる。
【００２９】
こうしたことから、支持枠体２を傾斜させて保持部材４ａの前端部を上下方向に移動させることで、眼鏡枠体５を最適位置にセットする位置調整を容易に行うことが可能となる。そして、こうした位置調整を眼鏡枠体５を装着した状態で簡単に行うことができる。
【００３０】
また、図６に示すように、利用者の頭部の形状に合せて支持枠体２が左右方向に拡がったり、狭まったりした場合にも眼鏡枠体５を最適位置にセットした状態にすることができる。図６（ａ）では、保持部材４ａ及び４ｂがほぼ前後方向に沿うように支持枠体２が装着された場合を示しており、この場合には眼鏡枠体５の両端に形成された取付部５０ａ及び５０ｂは保持部材４ａ及び４ｂとほぼ直線状に取り付けられる。図６（ｂ）では、頭部の前面側に向かって保持部材４ａ及び４ｂの間隔が狭くなるように前後方向に対して傾斜した状態となっているが、挿着磁石５１ａに対して受け磁石４０ａが揺動して眼鏡枠体５の取付部５０ａを前後方向に沿うように保持することができる。また、図６（ｃ）では、頭部の前面側に向かって保持部材４ａ及び４ｂの間隔が拡がるように前後方向に対して傾斜した状態となっているが、挿着磁石５１ａに対して受け磁石４０ａが揺動して眼鏡枠体５の取付部５０ａを前後方向に沿うように保持することができる。
【００３１】
以上説明したように、利用者の耳や目の位置関係といった頭部の形状に合せて上下方向や左右方向に保持部材が傾斜した状態となっても眼鏡枠体を最適位置に容易に位置調整することが可能となる。
【００３２】
上述した保持部材と眼鏡枠体との間の連結構造としては、第一及び第二磁着部材を別の形状の組合せとすることもできる。例えば、図７に示すように、保持部材４ｂに埋設される第二磁着部材を湾曲状に突出形成した磁着面とし、眼鏡枠体５の取付部５０ｂに埋設される第一磁着部材を円柱状で平面状の磁着面とすることも可能であり（図７（ａ）参照）、上述した例とは逆の組合せとすることもできる。また、図７（ｂ）に示すように、両方の磁着部材の磁着面を湾曲状に突出形成したり、図７（ｃ）に示すように、一方を湾曲状に突出させて他方を湾曲状に凹むように形成してもよい。こうした組合せ以外にも、円錐状に突出させた先端部を磁着面としてもよく、第一及び第二磁着部材が互いに揺動可能に磁着するような磁着面の組合せであれば、用いることができる。
【００３３】
また、以上の例では、保持部材を支持枠体の端部に摺動可能に取り付けて前後方向の長さ調整を行うようにしているが、眼鏡枠体側で長さ調整を行うようにしてもよい。例えば、図８に示すように、眼鏡枠体５の取付部５０ｂに長さ調整部材５３ｂを摺動可能に取り付けて長さ調整部材５３ｂに挿着磁石５１ｂを設けるようにしてもよい。長さ調整部材５３ｂの前端部には挿入孔５４ｂが軸方向に穿設されており、眼鏡枠体５の取付部５０ｂの後端に突出形成された支持バー５５ｂが挿入孔５４ｂに挿着されて長さ調整部材５３ｂは眼鏡枠体５の取付部５０ｂに取り付けられる。
【００３４】
長さ調整部材５３ｂの内側面には位置決め穴部５７ｂが挿入孔５４ｂに沿って穿設されている。位置決め穴部５７ｂは、外表面から挿入孔５４ｂまで貫通して長孔状に形成されており、所定位置に幅の拡がった複数の位置決め部が形成されている。支持バー５５ｂの側面には位置決め突起５６ｂが突設されており、位置決め突起５６ｂが位置決め穴部５７ｂに挿入されて所定位置の位置決め部に嵌合することで長さ調整部材５３ｂの前後方向の位置調整を行うことができる。
【００３５】
また、保持部材の長さをできるだけ短くしたい場合には、眼鏡枠体５の端部に蝶番を介してテンプル部材を接続するようにしてもよい。例えば、図９に示すように、眼鏡枠体５の端部５０ｂに蝶番５９ｂを介して所定の長さのテンプル部材５８ｂを接続する。テンプル部材５８ｂの先端部には挿着磁石５１ｂが埋設されている。保持部材４ｂは、前端部に受け磁石４０ｂを埋設し、後端部に支持バー４５ｂが突出形成されている。そして、支持枠体２の端部２０ｂの前端部には、挿入孔２４ｂが軸方向に穿設されており、保持部材４ｂの支持バー４５ｂが挿入孔２４ｂに挿着されて保持部材４ｂは支持枠体２の端部２０ｂに摺動可能に取り付けられる。
【００３６】
支持枠体２の端部２０ｂの内側面には位置決め穴部２５ｂが挿入孔２４ｂに沿って穿設されている。位置決め穴部２５ｂは、外表面から挿入孔２４ｂまで貫通して長孔状に形成されており、所定位置に幅の拡がった複数の位置決め部が形成されている。支持バー４５ｂの側面には位置決め突起４６ｂが突設されており、位置決め突起４６ｂが位置決め穴部２５ｂに挿入されて所定位置の位置決め部に嵌合することで保持部材４ｂの前後方向の位置調整を行うことができる。
【００３７】
以上のように構成することで、保持部材４ｂの長さを短くすることができ、眼鏡枠体５を装着していない場合でも保持部材４ｂが突出して邪魔になることがない。また、眼鏡枠体５についてもテンプル部材が設けられているので、テンプル部材にモダン部材を装着固定すれば通常の眼鏡として使用することもできる。
【００３８】
また、以上の例では位置決め突起と位置決め穴部により前後方向の長さ調整を行うようにしているが、例えば、保持部材の内部に形成された空隙に液体や気体を封入しておき、その内部に支持枠体に設けられた支持バーを挿入して先端部にピストンを形成することで、支持バーを内部で摺動させれば流体圧により無段階で位置調整を行うことが可能となる。
【図面の簡単な説明】
【００３９】
【図１】本発明に係る実施形態に関する全体斜視図である。
【図２】眼鏡枠体及び保持部材の分解斜視図である。
【図３】眼鏡枠体と保持部材との間の連結構造及び保持部材と支持枠体との間の長さ調整構造に関する拡大断面図である。
【図４】受け磁石及び挿着磁石が磁着して連結された状態の動作説明図である。
【図５】ヘッドホンを装着した状態を頭部の左方向から見た説明図である。
【図６】ヘッドホンを装着した状態を頭部の上方向からみた説明図である。
【図７】磁着部材の連結部分に関する変形例を示す概略断面図である。
【図８】眼鏡枠体に長さ調整部材を取り付けた変形例に関する分解斜視図である。
【図９】眼鏡枠体にテンプル部材を取り付けた変形例に関する分解斜視図である。
【符号の説明】
【００４０】
１    ヘッドホン
２    支持枠体
３    骨伝導ユニット
４    保持部材
40    受け磁石
５    眼鏡枠体
50    端部
51    挿着磁石
53    長さ調整部材
58    テンプル部材
【図１】
2008283408.tif 000003
【図２】
2008283408.tif 000004
【図３】
2008283408.tif 000005
【図４】
2008283408.tif 000006
【図５】
2008283408.tif 000007
【図６】
2008283408.tif 000008
【図７】
2008283408.tif 000009
【図８】
2008283408.tif 000010
【図９】
2008283408.tif 000011